(57)【要約】エラーの伝搬及び信号経路の保護のための光ネットワーク内の交差接続器ノード内の方法及び装置であって、入力ポートに入力される信号の監視、信号損失時に出力ポートをオフに切り換えか、さもなければ、出力ポートが保護経路の一部分である信号発生源に接続されるように切り換えること、及び再度発生した信号の検知の際に各々の再接続を再スタートすることを含んでいる。
2005519495.tif 000002
【特許請求の範囲】
【請求項１】
光通信ネットワーク内のエラー検知及び信号経路保護のための方法であって、
−入力ポートに入力される信号の監視（１０１０）、
−出力ポートが保護される経路の一部分である場合に、信号の損失時に出力ポートのオフへの切り換え／切断（１０３０、１０３２）、及び
−出力ポートが保護されている経路内のエンドポートである場合に、信号の損失時に保護入力ポートの出力ポートへの接続、の各ステップを特徴とする方法。
【請求項２】
請求項１に記載の方法であって、
−前記出力ポートが保護されている経路内のエンドポートであり、前記入力ポートにおける信号が再発生した場合に、出力ポートへの主要経路の一部分である入力ポートの再接続／再切り換えする（１０５８、１０６０）、
−主要経路の一部分である入力ポートにおける信号が再発生した場合に、オフに切り換えられているレーザーをオンに切り換える（１０６２、１０６４）、ステップをも含んでいる方法。
【請求項３】
入力ポート、出力ポート及びスイッチマトリックスを含んでいる光通信ネットワークにおける交差接続器ノードにおける装置であって、
各入力ポート（９１０）に設けられ、信号の損失が存在する場合には信号の損失を検知し且つ１以上の接続によって信号の損失を制御論理に通信する信号検知器（９２０）を含み、前記制御論理が出力ポート（９７０）及びスイッチマトリックス（９６０）に接続されている、ことを特徴とする装置。
【請求項４】
請求項３に記載の装置であって、
前記制御論理（９３０）に接続され且つ信号の損失時に開始することを可能にすることを意図され且つ所定の時間に亘ってこの状態であったときに前記制御論理に信号を送るように意図された一組のタイマーを更に有することを特徴とする装置。
【請求項５】
請求項４に記載の装置であって、
前記制御論理（９３０）に接続され且つどの出力ポートが検知された信号の損失がある入力ポートに接続されているかについての情報を記憶するように意図されているエラーポートメモリ（９５０）を含むことを特徴とする装置。
【発明の詳細な説明】
【発明の分野】
【０００１】
本発明は、光通信ネットワークにおけるエラーの伝搬及び信号経路の保護に関する。
【従来技術】
【０００２】
スタティックな光ネックワークにおけるファイバの破壊時又はレーザー内のエラー発生時に、エラーそれ自体はネットワーク内を伝搬するであろう。トランスポンダーは、入射光を有しない場合には、トランスポンダー自体をオフに切り換えることによってエラーを伝搬／伝送する。完全に光学的なネットワークにおいては、光は再生されず、結局、エラーは自然な形体で伝搬するであろう。従って、信号の損失は、伝送経路に沿って更に検知可能である。他方、ネットワーク内に電子−光交差接続器が存在する場合には、エラーを伝搬させるために更に多くの論理が必要とされない。トランシーバー内のレーザーは自動的にオフに切り換えられない。その上、信号は、いくつかのＲｘ−ポート（受信ポート）のうちの１つによる交差接続器への入力と、１以上のＴｘ−ポート（伝送ポート）による出力とを有するであろう。
【０００３】
本発明の目的は、光ネットワーク内で検知された単一のエラーが伝送方向へ伝搬することを確立し、そのときに、ネットワーク内の連続するノードによって検知されることを可能にし、それによって、関係する伝送ポートのオフへの切り換え／切断を可能にし、別の方法として、関係する交差接続器が所謂保護スイッチングを行うことを達成するための方法を提供することである。
【発明の概要】
【０００４】
本発明は、入力ポートに対する入力信号の管理、信号の損失時における出力ポートのオフへの切り換え／切断、代替的には、出力ポートが、保護経路の一部分である信号発生源に連結され、繰り返し信号を検知したときに各々の再切り換えを再開するように切り換えることを含む、光ネットワーク内の交差接続ノードにおける方法及び装置に関する。
【０００５】
本発明は、特許請求の範囲に規定されている。好ましい実施形態は従属項に規定されている。
【好ましい実施形態の詳細な説明】
【０００６】
本発明は、信号の損失を伝搬する可能性を有すること或いは１＋１−プロテクションを行う可能性を有することが望まれる光電交差接続器を備えたネックワーク内のエラーの検知及びエラー信号の伝搬に関する。本発明は、交差接続器ノードへの入力における信号の損失及び交差接続器ノードの出力への信号の損失の伝搬を検知する方法並びに保護される信号経路の保護切り換えを行うための決定方法及び制御方法を含んでいる。
【０００７】
１つの好ましい実施形態を図１を参照して説明する。図１は、多数の入力ポート１１０及び多数の出力ポート１４０に接続されてこれらを制御する制御論理１２０を備えた交差接続器ノード１０１を示している。入力ポート１１０と出力ポート１４０との間には、同じく制御論理に接続され且つあらゆる入力ポートが制御論理１２０によって制御されたあらゆる出力ポートに接続できることを可能にするスイッチマトリックス１３０が設けられている。入力ポート１１０上の信号が消失している場合には、この検索漏れが検知され、交差接続器ノード１０１内の制御論理１２０は、どの出力ポート１４０がスイッチマトリックス１３０内の前記入力ポート１１０に連結されているかを検査し且つこれらの出力ポート１４０をオフに切り換えるか、さもなければ保護切り換えを実行する。
【０００８】
この機能は、図２〜８に示された例に示されている。図２は、ノードａ−ｃ−ｄ−ｊ−ｌ−ｍに亘って延びている主要信号経路２１０を示している。図３は、ノードａ−ｂ−ｆ−ｇ−ｉ−ｎ−ｍに亘って延びている冗長信号経路３１０を示しており、第１のノードａ）は信号を両方の経路すなわちノードｂ）とノードｃ）との両方に伝達する。冗長信号経路が確立されたという事実により、主要経路が保護経路と呼ばれることになる。
【０００９】
図４は、ノードｃ）とノードｄ）との間の経路にエラーが発生した場合に何が起こるかを示している。エラーは、例えば、ノードｃ）内の伝達レーザーがなくなること又はノードｃ）とノードｄ）との間の光ファイバが切断／破壊されているということによって生じる。ノードｄ）における問題となっている入力ポートにおける信号検知ユニットは、発生した信号の損失を検知する。
【００１０】
図５は、ノードｄ）に対する作用／効果によって本発明の１つの実施形態がどのようにしてエラーをノードｄ）とノードｊ）との間の信号経路へと伝搬するか、すなわち、ノードｃ）から信号を受け取る入力ポートに接続されている伝搬レーザーが、どのようにしてオフに切り換えられるかを示している。
【００１１】
図６は、ノードｊ）に対する作用／効果によって本発明の１つの実施形態がどのようにしてエラーをノードｊ）とノードｌ）との間の信号経路へと伝搬するか、すなわち、ノードｃ）から信号を受け取る入力ポートに接続されている伝搬レーザーが、どのようにしてオフに切り換えられるかを示している。  
【００１２】
図７は、ノードｌ）に対する作用／効果によって本発明の１つの実施形態がどのようにしてエラーをノードｌ）とノードｍ）との間の信号経路へと伝搬するか、すなわち、ノードｃ）から信号を受け取る入力ポートに接続されている伝搬レーザーが、どのようにしてオフに切り換えられるかを示している。
【００１３】
図８は、ノードｍ）に対する作用／効果によって本発明の１つの実施形態がどのようにして主要信号経路２１０内を伝搬されるエラーを検知し且つその代わりにノードｎ）を介して保護経路からの信号を接続し、伝搬レーザーがオフに切り換えられない方法を示している。
【００１４】
本発明の１つの実施形態による１つの構造は、以下のような一組みのユニットを含んでおり、この構造は、コンピュータプログラムとして若しくはハードウエア内に装備されるか又はこれらの混合として装備されるのが最も良い。
【００１５】
図９を参照すると、本発明の１つの実施形態による交差接続器ノードが示されている。入力ポート９１０の各々には、信号毎の損失／信号の欠落の存在を検知するように意図された信号検知器９２０が備えられている。各信号検知器は、共通の制御論理９３０に接続されている。制御論理は更に、多数のタイマー９４１〜９４４に各入力ポートに対して１つずつ接続されている。更に、制御論理は、検知された信号の損失を有する入力ポートのための識別コードを記憶し且つ検知された信号の損失を有するこれらの入力ポートに接続されている出力ポートのための識別コードを記憶するためのエラーポートメモリ９５０に接続されている。各入力ポート及び各出力ポートは、公知の方法でスイッチマトリックス９６０に接続されている。
【００１６】
本発明による装置の動作においては、以下のステップが行われる。
−入力ポートに入力される信号の信号監視１０１０
−信号の損失時におけるタイマーの開始１０１２
−検知された信号の損失による、入力ポートのための識別コードの記憶１０１４
−検知された信号の損失による、入力ポートに接続された出力ポートのための識別コードの記憶１０１６
−信号の損失のための時間の監視（タイマーの制御）１０２０
−出力ポートが保護経路内のエンドポートである場合に、信号の損失／欠落を維持している特別な時間内における、出力ポートへの保護入力ポートの切り換え１０２４、１０２６
−出力ポートが保護経路の一部分である場合に、出力ポートすなわちレーザーの信号の損失を維持しているある時間内でのオフへの切り換え１０３０、１０３２
−入力ポートから信号が再発生したときに、出力ポートが保護されている経路内のエンドポートである場合に、保護経路の一部分である入力ポートの出力ポートへの再接続１０５０、１０６０
−信号がある最も短い時間間隔に亘って再発生したときに、オフに切り換えられたレーザーのオンへの切り換え１０５６、１０６２、１０６４、１０１７−１０７４
交差接続器のエラー検知の１つの好ましい実施形態が以下のアルゴリズムによって示される。
【００１７】
列：  ＴＸＡｒｒａｙ
満了時期：  ＴＩＭＥ
Ｒｘ−ポート：  Ｒｘｎ
Ｒｘ−ポート：  Ｐｒｏｔｅｃｔｉｏｎ−Ｒｘ
・  Ｒｘｎが高い場合の“信号検知”（ＳＤ）
・  ＳＤが低くなるのを待つ
・  信号の損失の検知（Ｒｘｎ−ポート内のＳＤが低い）
・  タイマーの開始
・  検知された信号の損失−＞ＴＸＡｒｒａｙである場合にＲｘｎ−ポートに接続されたＴｘ−ポート
・  ある時間間隔ＴＩＭＥ中に信号の損失が不変である場合に：
ａ．ＴＸＡｒｒａｙ内の各Ｔｘ−ポートに対して、
ｉ．Ｔｘ−ポートが保護経路内のエンドポート（すなわち、主要経路）である場合には、
１．保護Ｒｘ−ポートをＴｘ−ポートに接続する
ｉｉ．さもなければ、Ｔｘ−ポートが保護経路の一部分である場合には、
２．エラーが伝搬されるようにＴｘ−ポート（レーザー）をオフに切り換える
７．
ａ．ＳＤが高くなるのを待つ
ｂ．Ｔｘ−ポートにおいてＳＤが高いと検知される
ｃ．タイマーの開始
ｄ．ある時間間隔ＴＩＭＥ中にＳＤの高い状態が不変である場合に：
ｉ．ＴＸＡｒｒａｙ内の各Ｔｘ−ポートに対して：
１．各Ｔｘ−ポートが保護経路内のエンドポートである場合には：
ａ．Ｒｘｎ−ポートをＴｘ−ポートに接続する
２．さもなければ、Ｔｘ−ポートが保護経路の一部分である場合には：
ａ．信号が伝搬されるようにＴｘ−ポート（レーザー）をオンに切り換える
８．（１）に戻る
【図面の簡単な説明】
【００１８】
【図１】図１は、制御論理を備えた交差接続器ノードを示している。
【図２】図２は、多数の文字によって表記されたノードを備えた光ネットワーク内の一次信号経路を介する信号の伝搬を示している。
【図３】図３は、保護信号経路を含んでいる図１のネットワークを示している。
【図４】図４は、エラーが起こった場合のエラーの伝搬及び事象を示している。  図４：Ａ＝エラーの発生、すなわち、レーザーがノードｃ内で失われるか又はｃとｄとの間でファイバが破壊／切断されている。ノードｄの入力ポートでの信号検知が信号の損失を検知する。
【図５】図５は、エラーが起こった場合のエラーの伝搬及び事象を示している。  図５：Ｂ＝エラーを伝搬させる、すなわち、入力ポートが接続されるレーザーを見つけ、オフに切り換える。
【図６】図６は、エラーが起こった場合のエラーの伝搬及び事象を示している。  図６：Ｃ＝エラーを伝搬させる、すなわち、入力ポートが接続されるレーザーを見つけ、オフに切り換える。
【図７】図７は、エラーが起こった場合のエラーの伝搬及び事象を示している。  図７：エラーを伝搬させる、すなわち、入力ポートが接続されるレーザーを見つけ、オフに切り換える。
【図８】図８は、エラーが起こった場合のエラーの伝搬及び事象を示している。  図８：Ｅ＝これは経路内の最後のノードである。保護経路への交差接続を行う。レーザーをオフに切り換えない。
【図９】図９は、本発明の１つの実施形態による交差接続器ノード及び制御論理を示している
【図１０ａ】図１０ａは、本発明の１つの好ましい実施形態による方法のフローチャートである。  図１０ａ：  Ａ＝入力信号喪失／欠損しているか？  Ｂ＝タイマーを開始させよ。  Ｃ＝入力ポートＩＤを記憶せよ。  Ｄ＝出力ポートＩＤを記憶せよ。  Ｅ＝タイマーの時間が終了したか？  Ｆ＝入力信号が依然として喪失されている／欠損しているか？  Ｇ＝出力ポートが保護された経路内のエンドポートである。  Ｈ＝保護された経路からの入力ポートを出力ポートに接続せよ。  Ｉ＝出力ポートが保護された経路の一部分であるか？  Ｊ＝出力ポート（すなわち、レーザー）をオフに切り換えよ。
【図１０ｂ】図１０ｂは、本発明の１つの好ましい実施形態による方法のフローチャートである。  図１０ｂ：  Ｋ＝出力ポートが主経路内のエンドポートであるか？  Ｌ＝出力ポートが主経路の一部分であるか？  Ｍ＝出力ポート（すなわち、レーザー）をオフに切り換えよ。
【図１０ｃ】図１０ｃは、本発明の１つの好ましい実施形態による方法のフローチャートである。  図１０ｃ：  Ｎ＝信号が戻ったか？  Ｏ＝タイマーを開始させよ。  Ｐ＝タイマーの時間が終了したか？  Ｑ＝信号が依然としてオン／存在しているか？  Ｒ＝出力ポートが保護経路内のエンドポートか？  Ｓ＝保護経路からの入力ポートを出力ポートに接続せよ。  Ｔ＝出力ポートが保護された経路の一部分であるか？  Ｕ＝出力ポート（すなわち、レーザー）をオンに切り換えよ。
【図１０ｄ】図１０ｄは、本発明の１つの好ましい実施形態による方法のフローチャートである。  図１０ｄ：  Ｖ＝出力ポートが主経路内のエンドポートであるか？  Ｗ＝出力ポートが主経路の一部分であるか？  Ｘ＝出力ポートをオンに切り換えよ。
【図１１】図１１は、本発明の１つの好ましい実施形態による方法のフローチャートである。  図１１：  Ａ＝スタートせよ。  入力ポートは、この出力ポートに接続されている入力ポートである。プロットせよ。これが主経路内のエンドポートである場合には、ポートが規定される。  Ｂ＝入力信号が存在せず／入力ポートから欠損しているか？  Ｃ＝タイマーを開始させよ。  Ｄ＝タイマー時間が満了したか？  Ｅ＝入力信号が存在していないか／入力ポートから欠損しているか？  Ｆ＝この出力ポートは主経路内のエンドポートである。  Ｇ＝保護経路からの入力ポートを出力ポートに接続せよ（保護ポートを出力ポートに接続せよ）  Ｈ＝この出力ポートは主経路の一部分であるか？  Ｉ＝出力ポートのレーザーをオフに切り換えよ。
【図１】
2005519495.tif 000003
【図２】
2005519495.tif 000004
【図３】
2005519495.tif 000005
【図４】
2005519495.tif 000006
【図５】
2005519495.tif 000007
【図６】
2005519495.tif 000008
【図７】
2005519495.tif 000009
【図８】
2005519495.tif 000010
【図９】
2005519495.tif 000011
【図１０ａ】
2005519495.tif 000012
【図１０ｂ】
2005519495.tif 000013
【図１０ｃ】
2005519495.tif 000014
【図１０ｄ】
2005519495.tif 000015
【図１１】
2005519495.tif 000016
【国際調査報告】
2005519495.tif 000017
2005519495.tif 000018
2005519495.tif 000019